【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
時間の経過に従って撮像された一連の画像のうち何れかを静止画像として取得する静止画取得手段と、
前記一連の画像の中で変化している部分画像を動画像として抽出する動画像抽出手段と、
前記動画像抽出手段により動画像として抽出された部分画像を合成対象として、前記静止画取得手段により取得された静止画像の中の部分画像を特定する静止画部分画像特定手段と、
前記静止画取得手段により取得された静止画像に対して前記動画像抽出手段により動画像として抽出された部分画像を合成して一連の合成画像を生成する合成画像生成手段と、
を備えたことを特徴とする画像処理装置。
【請求項２】
前記静止画取得手段により取得された静止画像を表示させた後に、前記合成画像生成手段により生成された一連の合成画像を順次表示させる画像表示制御手段を更に備えたことを特徴とする請求項１に記載の画像処理装置。
【請求項３】
前記画像表示制御手段は、
前記静止画取得手段により取得された静止画像を表示させる静止画表示制御手段と、
前記静止画表示制御手段により静止画像を表示させた後、当該静止画像の中の部分画像がユーザ操作に応じて指定されたか判断する部分画像指定判断手段とを有し、
前記部分画像指定判断手段により前記静止画像の中の部分画像が指定されたと判断された場合に、前記合成画像生成手段により生成された一連の合成画像を順次表示させる、
ことを特徴とする請求項２に記載の画像処理装置。
【請求項４】
前記画像表示制御手段は、
前記静止画取得手段により取得された静止画像を表示させる静止画表示制御手段と、
前記静止画表示制御手段により静止画像を表示させた後に一定時間が経過したか判断する時間経過判断手段とを有し、
前記時間経過判断手段により前記静止画像を表示させた後に一定時間が経過したと判断された場合に、前記合成画像生成手段により生成された一連の合成画像を順次表示させる、
ことを特徴とする請求項２に記載の画像処理装置。
【請求項５】
前記動画像抽出手段は、
前記一連の画像の中で変化している部分画像を検知する変化部分検知手段と、
前記変化部分検知手段により検知された前記一連の画像の中で変化している部分画像を前記静止画部分画像特定手段により特定された前記静止画像の中の部分画像に対応する動画として抽出する対応動画抽出手段とを有し、
前記合成画像生成手段は、前記静止画取得手段により取得された静止画像に対して前記対応動画抽出手段により動画として抽出された部分画像を合成して一連の合成画像を生成する、
ことを特徴とする請求項１ないし４の何れか１項に記載の画像処理装置。
【請求項６】
予め顔画像を登録する顔画像登録手段を更に備え、
前記動画像抽出手段は、前記一連の画像の中で前記顔画像登録手段により登録された顔画像と同じ顔画像を含んでいる部分の画像を、前記動画像として抽出する、
ことを特徴とする請求項１ないし５の何れか１項に記載の画像処理装置。
【請求項７】
撮影手段を更に備え、
前記静止画取得手段は、前記撮像手段により時間の経過に従って撮像された一連の画像のうち何れかを静止画像として取得することを特徴とする請求項１ないし６の何れか１項に記載の画像処理装置。
【請求項８】
コンピュータを、
時間の経過に従った一連の画像のうち何れかを静止画像として取得する静止画取得手段、
前記一連の画像の中で変化している部分の画像を動画像として抽出する動画像抽出手段、
前記動画像抽出手段により動画像として抽出された部分画像を合成対象として、前記静止画取得手段により取得された静止画像の中の部分画像を特定する静止画部分画像特定手段、
前記静止画取得手段により取得された静止画像に対して前記動画像抽出手段により動画像として抽出された部分画像を合成して一連の合成画像を生成する合成画像生成手段、
として機能させることを特徴とするプログラム。
【手続補正２】
【補正対象書類名】明細書
【補正対象項目名】発明の名称
【補正方法】変更
【補正の内容】
【発明の名称】画像処理装置及びプログラム
【手続補正３】
【補正対象書類名】明細書
【補正対象項目名】０００１
【補正方法】変更
【補正の内容】
【０００１】
本発明は、撮影された静止画に動画を合成して表示させるための画像処理装置及びプログラムに関する。
【手続補正４】
【補正対象書類名】明細書
【補正対象項目名】００１３
【補正方法】変更
【補正の内容】
【００１３】
本発明は、このような課題に鑑みなされたもので、一般的な記念撮影などに伴い、特別面倒な操作を行う必要なく、静止画像に動画像を合成した実用性の高い合成動画像を生成できることを目的とする。
【手続補正５】
【補正対象書類名】明細書
【補正対象項目名】００１４
【補正方法】変更
【補正の内容】
【００１４】
請求項１に記載の発明に係る画像処理装置は、前記時間の経過に従って撮像された一連の画像のうち何れかを静止画像として取得する静止画取得手段と、前記一連の画像の中で変化している部分画像を動画像として抽出する動画像抽出手段と、前記動画像抽出手段により動画像として抽出された部分画像を合成対象として、前記静止画取得手段により取得された静止画像の中の部分画像を特定する静止画部分画像特定手段と、前記静止画取得手段により取得された静止画像に対して前記動画像抽出手段により動画像として抽出された部分画像を合成して一連の合成画像を生成する合成画像生成手段と、を備えたことを特徴としている。
請求項２に記載の発明は、前記請求項１に記載の画像処理装置において、前記静止画取得手段により取得された静止画像を表示させた後に、前記合成画像生成手段により生成された一連の合成画像を順次表示させる画像表示制御手段を更に備えたことを特徴としている。
【手続補正６】
【補正対象書類名】明細書
【補正対象項目名】００１５
【補正方法】変更
【補正の内容】
【００１５】
請求項３に記載の発明は、前記請求項２に記載の画像撮影表示装置において、前記画像表示制御手段は、前記静止画取得手段により取得された静止画像を表示させる静止画表示制御手段と、前記静止画表示制御手段により静止画像を表示させた後、当該静止画像の中の部分画像がユーザ操作に応じて指定されたか判断する部分画像指定判断手段とを有し、前記部分画像指定判断手段により前記静止画像の中の部分画像が指定されたと判断された場合に、前記合成画像生成手段により生成された一連の合成画像を順次表示させる、ことを特徴としている。
【手続補正７】
【補正対象書類名】明細書
【補正対象項目名】００１６
【補正方法】変更
【補正の内容】
【００１６】
請求項４に記載の発明は、前記請求項２に記載の画像撮影表示装置において、前記画像表示制御手段は、前記静止画取得手段により取得された静止画像を表示させる静止画表示制御手段と、前記静止画表示制御手段により静止画像を表示させた後に一定時間が経過したか判断する時間経過判断手段とを有し、前記時間経過判断手段により前記静止画像を表示させた後に一定時間が経過したと判断された場合に、前記合成画像生成手段により生成された一連の合成画像を順次表示させる、ことを特徴としている。
請求項５に記載の発明は、前記請求項１ないし４の何れか１項に記載の画像処理装置において、前記動画像抽出手段は、前記一連の画像の中で変化している部分画像を検知する変化部分検知手段と、前記変化部分検知手段により検知された前記一連の画像の中で変化している部分画像を前記静止画部分画像特定手段により特定された前記静止画像の中の部分画像に対応する動画として抽出する対応動画抽出手段とを有し、前記合成画像生成手段は、前記静止画取得手段により取得された静止画像に対して前記対応動画抽出手段により動画として抽出された部分画像を合成して一連の合成画像を生成する、ことを特徴としている。
【手続補正８】
【補正対象書類名】明細書
【補正対象項目名】００１７
【補正方法】変更
【補正の内容】
【００１７】
請求項６に記載の発明は、前記請求項１ないし５の何れか１項に記載の画像撮影表示装置において、予め顔画像を登録する顔画像登録手段を更に備え、前記動画像抽出手段は、前記一連の画像の中で前記顔画像登録手段により登録された顔画像と同じ顔画像を含んでいる部分の画像を、前記動画像として抽出する、ことを特徴としている。
請求項７に記載の発明は、請求項１ないし６の何れか１項に記載の画像処理装置において、撮影手段を更に備え、前記静止画取得手段は、前記撮像手段により時間の経過に従って撮像された一連の画像のうち何れかを静止画像として取得することを特徴としている。
【手続補正９】
【補正対象書類名】明細書
【補正対象項目名】００１８
【補正方法】変更
【補正の内容】
【００１８】
請求項８に記載のプログラムに係る発明は、コンピュータを、時間の経過に従った一連の画像のうち何れかを静止画像として取得する静止画取得手段、前記一連の画像の中で変化している部分の画像を動画像として抽出する動画像抽出手段、前記動画像抽出手段により動画像として抽出された部分画像を合成対象として、前記静止画取得手段により取得された静止画像の中の部分画像を特定する静止画部分画像特定手段、前記静止画取得手段により取得された静止画像に対して前記動画像抽出手段により動画像として抽出された部分画像を合成して一連の合成画像を生成する合成画像生成手段、として機能させることを特徴としている。
【手続補正１０】
【補正対象書類名】明細書
【補正対象項目名】００１９
【補正方法】変更
【補正の内容】
【００１９】
本発明によれば、一般的な記念撮影などに伴い、特別面倒な操作を行う必要なく、静止画像に動画像を合成した実用性の高い画像を生成して表示できる。